(57)【要約】【課題】カバー部材同士を外れにくくすることができるケース体と、該ケース体を備えたコネクタを提供する。【解決手段】コネクタはコネクタハウジングとケース体としてのコネクタ用電線カバー１３を備えている。コネクタ用電線カバー１３は互いに取り付けられる一対のカバー部材３９ｃ，３９ｄを備えている。一対のカバー部材３９ｃ，３９ｄは互いに係止する第２係止部５２を備えている。カバー部材３９ｃの第２係止部５２は第１係止片５３と第１延在片５４を備えている。カバー部材３９ｄの第２係止部５２は第２係止片５５と第２延在片５６を備えている。第１係止片５３が第２係止片５５より外側に位置してこれらの係止片５３，５５が互いに係止し第１延在片５４が第２係止片５５と第２延在片５６とで挟まれ第２係止片５５が第１係止片５３と第１延在片５４とで挟まれる。【選択図】図１０
2006073328.tif 000002
【特許請求の範囲】
【請求項１】
一対のカバー部材を備え、これら一対のカバー部材を互いに取り付けるケース体において、
前記カバー部材は、互いに取り付けられると、互いに平行になる平行壁を備え、
一方のカバー部材は、前記平行壁から他方のカバー部材に向かって延びた第１係止片と、前記第１係止片より内側に位置しかつ前記平行壁から他方のカバー部材に向かって延びた第１延在片と、を備え、
他方のカバー部材は、前記平行壁から一方のカバー部材に向かって延びた第２係止片と、前記第２係止片より内側に位置しかつ前記平行壁から一方のカバー部材に向かって延びた第２延在片と、を備え、
前記第１係止片が前記第２係止片より外側に位置して、前記第１係止片と前記第２係止片とが互いに係止するとともに、前記第１延在片が、前記第２係止片と前記第２延在片とに挟まれた状態で、一対のカバー部材を互いに取り付けることを特徴とするケース体。
【請求項２】
前記一対のカバー部材が、互いに取り付けられると、前記第２係止片が、前記第１係止片と前記第１延在片とで挟まれることを特徴とする請求項１記載のケース体。
【請求項３】
請求項１又は請求項２に記載のケース体と、
コネクタハウジングとを備えたコネクタにおいて、
前記ケース体は、前記コネクタハウジングに取り付けられて該コネクタハウジング内の端子金具に取り付けられた電線の外周を覆うことを特徴とするコネクタ。
【発明の詳細な説明】
【技術分野】
【０００１】
本発明は、電線の接続等に使用されるコネクタハウジングに取り付けられるコネクタ用電線カバーなどのケース体及び該ケース体を備えたコネクタに関する。
【背景技術】
【０００２】
移動体としての自動車には、搭載される種々のランプや種々のモータなどの電子機器にバッテリなどの電源から電力を供給するためにワイヤハーネスが配索されている。前記ワイヤハーネスは、複数の電線と、これらの電線それぞれの端部に取り付けられたコネクタ（例えば、特許文献１参照）などを備えている。
【０００３】
電線は、導電性の芯線と、絶縁性の被覆部とを備えた所謂被覆電線である。コネクタは、導電性の端子金具と、絶縁性の絶縁体としてのコネクタハウジングと、ケース体としてのコネクタ用電線カバーを備えている。端子金具は、導電性の板金を折り曲げて形成され、電線の端末に取り付けられて該電線の芯線と電気的及び機械的に接続する。
【０００４】
コネクタハウジングは、絶縁性の合成樹脂からなり箱状に形成されている。コネクタハウジングには、端子収容室が複数設けられている。端子収容室は、コネクタハウジングを貫通した空間である。端子収容室は、端子金具を収容する。
【０００５】
コネクタ用電線カバーは、カバー部材を一対備えている。これら一対のカバー部材は、側方からみてコ字状に形成されている。一対のカバー部材は、コネクタハウジングの電線が導出する端部を互いの間に挟み込む格好で、コネクタハウジングに取り付けられる。また、カバー部材には、互いに取り付けられると、前記端子金具に取り付けられた電線を外部に逃がす逃がし孔が形成されている。該逃がし孔は、一対のカバー部材が互いに取り付けられると、一つの孔を構成する。則ち、カバー部材それぞれに逃がし孔の一部が設けられている。
【０００６】
前述した構成のコネクタは、以下のように組み立てられる。電線の端末に端子金具が取り付けられ、端子金具を端子収容室に挿入する。そして、一対のカバー部材則ちコネクタ用電線カバーをコネクタハウジングに取り付ける。こうして組み立てられたコネクタを前述した電子機器のコネクタに嵌合するなどして、前述したワイヤハーネスを自動車に配索する。そして、ワイヤハーネスは、前述した電子機器に必要な信号や電力を供給する。
【特許文献１】特開平１０−２７６４６号公報
【発明の開示】
【発明が解決しようとする課題】
【０００７】
前述した一対のカバー部材は、互いに係止する係止部により、互いに取り付けられるようになっている。このため、一対のカバー部材間のガタにより、係止部同士が係止した状態であっても、一対のカバー部材同士が相対的に移動して、係止部の係止が解除しやすくなっている。このため、一対のカバー部材同士が不意に分離して、これらのカバー部材則ちコネクタ用電線カバーがコネクタハウジングから不意に脱落する虞があった。このように、ケース体としてのコネクタ用電線カバーは、一対のカバー部材同士が外れやすかった。
【０００８】
したがって、本発明の目的は、カバー部材同士を外れにくくすることができるケース体と、該ケース体を備えたコネクタを提供することにある。
【課題を解決するための手段】
【０００９】
前記課題を解決し目的を達成するために、請求項１に記載の本発明のケース体は、一対のカバー部材を備え、これら一対のカバー部材を互いに取り付けるケース体において、前記カバー部材は、互いに取り付けられると、互いに平行になる平行壁を備え、一方のカバー部材は、前記平行壁から他方のカバー部材に向かって延びた第１係止片と、前記第１係止片より内側に位置しかつ前記平行壁から他方のカバー部材に向かって延びた第１延在片と、を備え、他方のカバー部材は、前記平行壁から一方のカバー部材に向かって延びた第２係止片と、前記第２係止片より内側に位置しかつ前記平行壁から一方のカバー部材に向かって延びた第２延在片と、を備え、前記第１係止片が前記第２係止片より外側に位置して、前記第１係止片と前記第２係止片とが互いに係止するとともに、前記第１延在片が、前記第２係止片と前記第２延在片とに挟まれた状態で、一対のカバー部材を互いに取り付けることを特徴としている。
【００１０】
請求項２に記載の本発明のケース体は、請求項１に記載のケース体において、前記一対のカバー部材が、互いに取り付けられると、前記第２係止片が、前記第１係止片と前記第１延在片とで挟まれることを特徴としている。
【００１１】
請求項３に記載の本発明のコネクタは、請求項１又は請求項２に記載のケース体と、コネクタハウジングとを備えたコネクタにおいて、前記ケース体は、前記コネクタハウジングに取り付けられて該コネクタハウジング内の端子金具に取り付けられた電線の外周を覆うことを特徴としている。
【００１２】
請求項１に記載された本発明のケース体によれば、第１延在片が第２係止片と第２延在片とで挟まれた格好で、一対のカバー部材が互いに取り付けられる。このように、第１延在片が第２係止片と第２延在片とで挟まれるので、一対のカバー部材間にガタが生じることを防止できる。
【００１３】
請求項２に記載された本発明のケース体によれば、第２係止片が第１係止片と第１延在片とで挟まれた格好で、一対のカバー部材が互いに取り付けられる。このように、第２係止片が第１係止片と第１延在片とで挟まれるので、一対のカバー部材間にガタが生じることを防止できる。
【００１４】
請求項３に記載された本発明のコネクタによれば、請求項１又は請求項２に記載のケース体を備えているので、該ケース体のカバー部材間にガタが生じることを防止できる。
【発明の効果】
【００１５】
以上説明したように請求項１に記載の本発明は、第１延在片を第２係止片と第２延在片とで挟んで、一対のカバー部材間にガタが生じることを防止できる。このため、互いに取り付けられたカバー部材が、相対的に移動しにくくなり、係止片同士の係止を外れにくくすることができる。したがって、カバー部材同士を外れにくくすることができる。
【００１６】
請求項２に記載の本発明は、第２係止片を第１係止片と第１延在片とで挟んで、一対のカバー部材間にガタが生じることを防止できる。このため、互いに取り付けられたカバー部材が、相対的に移動しにくくなり、係止片同士の係止を外れにくくすることができる。したがって、カバー部材同士を外れにくくすることができる。
【００１７】
請求項３に記載の本発明は、請求項１又は請求項２に記載のケース体を備えているので、該ケース体のカバー部材間にガタが生じることを防止できる。このため、互いに取り付けられたカバー部材が、相対的に移動しにくくなり、係止片同士の係止を外れにくくすることができる。したがって、カバー部材同士を外れにくくすることができる。
【発明を実施するための最良の形態】
【００１８】
本発明の一実施形態にかかるコネクタ１を、図１ないし図１４に基づいて説明する。コネクタ１は、図１に示すように、相手側のコネクタ２と嵌合する。
【００１９】
相手側のコネクタ２は、図１に示すように、コネクタハウジング４と、複数の端子金具５とを備えている。コネクタハウジング４は、絶縁性の合成樹脂からなり有底筒状に形成されている。コネクタハウジング４は、図示しない印刷配線板に取り付けられる。また、コネクタハウジング４の内面には、コネクタ１と嵌合用の図示しないロック突起が設けられている。
【００２０】
端子金具５は、導電性の金属からなり棒状に形成されている。端子金具５は、側方からみてく字状をなすように、中央で屈曲されている。端子金具５は、一端部がコネクタハウジング４内に位置し、他端部が印刷配線板の導体パターンと電気的及び機械的に接続している。
【００２１】
コネクタ１は、図１に示すように、カバー６と、プレート状ハウジング７と、端子金具としての圧接端子８と、ケース体としてのコネクタ用電線カバー（以下、単に電線カバーという）１３とを備えている。なお、以下、図１中の矢印Ｘを幅方向、矢印Ｘと直交し図示しない印刷配線板の表面に平行な矢印Ｙを長手方向、矢印Ｘ，Ｙ双方と直交する矢印Ｚを厚み方向とする。
【００２２】
カバー６は、絶縁性の合成樹脂からなり、図１に示すように、プレート状則ち平板状に形成されている。カバー６には、相手側のコネクタ２と嵌合するロック部材９が取り付けられている。カバー６には、プレート状ハウジング７と係止するための係止部１０が設けられている。
【００２３】
プレート状ハウジング７は、図示例では一対設けられている。プレート状ハウジング７は、絶縁性の合成樹脂からなり、図１に示すように、プレート状則ち平板状に形成されている。プレート状ハウジング７は、圧接端子８を収容する複数の端子収容溝１５と、プレート状ハウジング７同士やカバー６と固定するための係止部１１とを備えている。
【００２４】
前述したカバー６と、プレート状ハウジング７とは、互いに平行に重なり、かつ、係止部１０，１１が互いに係止することで、合体する。合体した状態で、カバー６とプレート状ハウジング７とは、コネクタハウジング４に嵌合するコネクタハウジング１２を構成する。
【００２５】
また、コネクタハウジング１２則ちカバー６とプレート状ハウジング７とは、互いに合体すると、あたかも一体となるフランジ１４ａ，１４ｂを備えている。フランジ１４ａ，１４ｂは、コネクタハウジング１２の圧接端子８に圧接される後述する電線１９が導出する側の端部に設けられている。フランジ１４ａ，１４ｂは、コネクタハウジング１２を構成するカバー６及びプレート状ハウジング７の前述した端部の全周から前述した幅方向Ｘと厚み方向Ｚとに沿って、コネクタハウジング１２の外周に向かって延びている。
【００２６】
このため、カバー６及び図１中下方に位置する一方のプレート状ハウジング７から矢印Ｚに沿って突出したフランジ１４ａ，１４ｂは、圧接端子８の長手方向Ｙに対し直交（交差）する前述した幅方向Ｘに沿って直線状に延びている。
【００２７】
圧接端子８は、導電性の板金などからなる。圧接端子８は、図１に示すように、電気接触部１６と、電線接続部１７と、一対の係止ばね片１８を一体に備えている。電気接触部１６は、コネクタハウジング４，１２同士が嵌合すると、端子金具５の一端部と電気的及び機械的に接続する。電線接続部１７には、電線１９（図３などに示す）が圧接する（電気的及び機械的に接続する）。電線１９は、導電性の芯線と、該芯線を被覆した絶縁性の被覆部とを備えた所謂被覆電線である。係止ばね片１８は、端子収容溝１５の内面に係止する。
【００２８】
電線カバー１３は、図１ないし図６に示すように、カバー本体２０と、カバー部２１とを一体に備えている。カバー本体２０は、図５及び図６などに示すように、本体部２２と、取付部２３と、電線逃がし部２４と、補強リブ２５と、バンド取付部としての孔３６などを備えている。
【００２９】
本体部２２は、断面コ字状の箱状に形成されている。取付部２３は、図５中の手前側に位置する本体部２２の一端部に設けられている。取付部２３は、本体部２２の前述した一端部の外殻に沿って形成されており、図５及び図９に示すように、互いに平行な一対の平行部２６と、該平行部２６の一端部同士を連結する連結部２７とを一体に備えて、コ字状に形成されている。平行部２６は、その長手方向が前述した圧接端子８の長手方向Ｙに対し直交（交差）する幅方向Ｘに沿って配される。平行部２６は、前記連結部２７より長い。
【００３０】
一対の平行部２６と連結部２７の内面には、該内面から凹の溝２８（図５中には、一方の平行部２６に形成された溝２８のみ示す）が形成されている。溝２８内には、前述したフランジ１４ａ，１４ｂが侵入可能である。平行部２６の内面に形成された溝２８は、平行部２６の長手方向則ち前述した幅方向Ｘに沿って直線状に延びている。
【００３１】
取付部２３は、一対の平行部２６間にコネクタハウジング１２を位置付けて、連結部２７を幅方向Ｘに沿ってコネクタハウジング１２に近づける。そして、取付部２３は、溝２８内にフランジ１４ａ，１４ｂを順に挿入して、幅方向Ｘに沿ってコネクタハウジング１２に対しスライドする。そして、取付部２３は、連結部２７の内面に設けられた溝２８内にフランジ１４ａ，１４ｂを位置付けて、カバー本体２０をコネクタハウジング１２に取り付ける。
【００３２】
電線逃がし部２４は、本体部２２の他端部に設けられている。電線逃がし部２４は、前述した幅方向Ｘに沿って延びた樋状に形成されている。電線逃がし部２４は、図７に示すように、樋状の電線案内部２９と、一対の内縁突起３０と、一対の係止突起３１（図８に示す）とを備えている。電線案内部２９は、前述した幅方向Ｘに直交（交差）する断面形状がＵ字状に形成されている。電線案内部２９は、底部が取付部２３寄りに配されている。
【００３３】
一対の内縁突起３０は、電線案内部２９の互いに相対する一対の内縁部３２（図７に示す）から互いに近づく方向に突出している。則ち、内縁突起３０間の間隔は、電線案内部２９の互いに相対する一対の内縁部３２間の間隔より狭い。また、一対の内縁突起３０の互いに最も近づく（相対する）頂部３３は、図７に示すように、曲面状に形成されている。
【００３４】
前述した一対の内縁突起３０は、互いに相対する方向に対し直交する方向（図２及び図７などの矢印Ｋ）に沿って、互いの間に複数の電線１９則ち電線束（図７及び図８中に点線で示す）が通される。一対の内縁突起３０は、互いの間に複数の電線１９が通されることで、電線１９を電線逃がし部２４の電線案内部２９内に位置付ける。なお、前記矢印Ｋは、電線１９を電線案内部２９内に挿入する方向をなしている。
【００３５】
さらに、図７に示すように、内縁突起３０より電線逃がし部２４の内側（前記矢印Ｋの下流側）に位置する第１の傾斜面３４と、内縁突起３０より電線逃がし部２４の外側（前記矢印Ｋの上流側）に位置する第２の傾斜面３５と、が設けられている。第１の傾斜面３４及び第２の傾斜面３５は、それぞれ、前記頂部３３と内縁部３２とに連なる。第１の傾斜面３４は、第２の傾斜面３５より前記矢印Ｋに対する傾きが大きい。則ち、第１の傾斜面３４は、第２の傾斜面３５より前記矢印Ｋに対し傾いている。
【００３６】
また、係止突起３１は、図８に示すように、前記内縁突起３０より前記電線カバー１３が取り付けられるコネクタハウジング１２側に設けられている。係止突起３１は、前記内縁部３２から互いに近づく方向に突出している。
【００３７】
前述した電線逃がし部２４は、内縁突起３０間を通して複数の電線１９が挿入されることで、該複数の電線１９を束ねてカバー本体２０外則ち電線カバー１３外に導く。
【００３８】
補強リブ２５は、図４に示すように、前記本体部２２から凸に形成され、一端が前記電線逃がし部２４の電線案内部２９に連なり、他端が取付部２３に連なっている。図示例では、補強リブ２５は、一対設けられている。これら一対の補強リブ２５は、互いに平行である。
【００３９】
孔３６は、補強リブ２５を貫通している。孔３６は、前記電線逃がし部２４の電線案内部２９の外周に設けられている。孔３６は、内側に電線逃がし部２４の電線案内部２９に複数の電線１９を結束するバンド３７（図１３中に二点鎖線で示す）が挿入される。孔３６は、バンド３７が挿入されることで、該バンド３７を取り付ける。
【００４０】
また、前記カバー本体２０の後述するヒンジ４０寄りの端部２０ａには、図７ないし図９、図１１及び図１２に示すように、取付部２３から電線逃がし部２４に亘って、支え突起３８が設けられている。支え突起３８は、本体部２２からコネクタハウジング１２の幅方向Ｘに沿って突出している。支え突起３８は、カバー部２１の後述する一対のカバー部材３９が互いに閉じて、該カバー部材３９がコネクタハウジング１２に取り付けられると、カバー部材３９のヒンジ４０寄りの端部３９ａと当接する。このとき、カバー部材３９のヒンジ４０寄りの端部３９ａは、支え突起３８より電線カバー１３の外側に位置する。このため、支え突起３８は、カバー部材３９のヒンジ４０寄りの端部３９ａを支えることとなる。
【００４１】
カバー部２１は、図１０ないし図１２などに示すように、一対のカバー部材３９を備えている。カバー部材３９は、それぞれ、略平坦な平行壁５０と、この平行壁５０の外縁から立設した周壁５１とを備えている。これらのカバー部材３９は、ヒンジ４０を介して前述した平行壁５０がカバー本体２０に連結されている（連なっている）。一対のカバー部材３９は、ヒンジ４０を中心として、回転自在である。一対のカバー部材３９は、ヒンジ４０を中心として回転すると、前記ヒンジ４０から離れた側の端部３９ｂが、互いに接離する。ヒンジ４０は、前記カバー本体２０の取付部２３の平行部２６の連結部２７から離れた側の端に連なる本体部２２の縁に連なっている。
【００４２】
一対のカバー部材３９は、互いに係止する係止部４１と、互いに係止する第２係止部５２（図６などに示す）とを備えている。係止部４１は、前記ヒンジ４０から離れた側の端部３９ｂに設けられている。第２係止部５２は、カバー部材３９のコネクタハウジング１２から離れた側の外壁に設けられている。
【００４３】
図１０中上方に位置する一方のカバー部材３９（以下、符号３９ｃで示す）に設けられた第２係止部５２は、前述した一方のカバー部材３９ｃの平行壁５０（以下、符号５０ａで示す）から立設した第１係止片５３と、この第１係止片５３より前述した一方のカバー部材３９ｃの内側に位置しかつ前記第１係止片５３と平行であるとともに、平行壁５０ａから立設した第１延在片５４とを備えている。
【００４４】
第１係止片５３と、第１延在片５４は、一方のカバー部材３９ｃと、図１０中下方に位置する他方のカバー部材３９（以下、符号３９ｄで示す）とが互いに取り付けられた状態で、前述した一方のカバー部材３９ｃの平行壁５０ａから他方のカバー部材３９ｄに向かって延びた格好となる。第１係止片５３は、立設部５３ａと、係止突起５３ｂとを一体に備えている。
【００４５】
立設部５３ａは、カバー部材３９ｃの平行壁５０ａから立設しており、平板状に形成されている。係止突起５３ｂは、立設部５３ａの平行壁５０ａから離れた側の端部に設けられている。係止突起５３ｂは、立設部５３ａからカバー部材３９ｃの内側に向かって凸に形成されている。係止突起５３ｂには、平行壁５０ａから離れるのにしたがって、係止突起５３ｂの立設部５３ａからの突出量を徐々に減少させるテーパ面５３ｃが形成されている。第１延在片５４の厚みＴ１は、後述の第２係止片５５の立設部５５ａと第２延在片５６との間隔Ｄ１に等しい。
【００４６】
他方のカバー部材３９ｄに設けられた第２係止部５２は、前述した他方のカバー部材３９ｄの平行壁５０（以下、符号５０ｂで示す）から立設した第２係止片５５と、この第２係止片５５より前述した他方のカバー部材３９ｄの内側に位置しかつ前記第２係止片５５と平行であるとともに、平行壁５０ｂから立設した第２延在片５６とを備えている。
【００４７】
第２係止片５５と、第２延在片５６は、一対のカバー部材３９ｃ，３９ｄが互いに取り付けられた状態で、前述した他方のカバー部材３９ｄの平行壁５０ｂから一方のカバー部材３９ｃに向かって延びた格好となる。第２係止片５５は、一対のカバー部材３９ｃ，３９ｄが互いに取り付けられると、第１係止片５３よりカバー部材３９ｃ，３９ｄの内側に位置する。第２係止片５５は、立設部５５ａと、係止突起５５ｂとを一体に備えている。
【００４８】
立設部５５ａは、カバー部材３９ｄの平行壁５０ｂから立設しており、平板状に形成されている。係止突起５５ｂは、立設部５５ａの平行壁５０ｂから離れた側の端部に設けられている。係止突起５５ｂは、立設部５５ａからカバー部材３９ｄの外側に向かって凸に形成されている。係止突起５５ｂには、平行壁５０ｂから離れるのにしたがって、係止突起５５ｂの立設部５５ａからの突出量を徐々に減少させるテーパ面５５ｃが形成されている。
【００４９】
また、第２係止片５５の係止突起５５ｂの厚みＴ２は、第１係止片５３の立設部５３ａと第１延在片５４との間隔Ｄ２に等しい。第２係止片５５の立設部５５ａの厚みＴ３は、第１係止片５３の係止突起５３ｂと第１延在片５４との間隔Ｄ３に等しい。
【００５０】
前述した第２係止部５２は、一対のカバー部材３９ｃ，３９ｄが互いに取り付けられる際に、まず、係止片５３，５５のテーパ面５３ｃ，５５ｃ同士が接触するとともに、第１延在片５４が、第２延在片５６と第２係止片５５との間に相対する。そして、テーパ面５３ｃ，５５ｃ同士が接触した状態で、一対のカバー部材３９ｃ，３９ｄが互いに取り付けられていくと、第１係止片５３の係止突起５３ｂがカバー部材３９ｃ，３９ｄの外側に変位するように、立設部５３ａが弾性変形する。
【００５１】
そして、係止突起５３ｂ，５５ｂ同士が互いを乗り越えると、第１係止片５３の立設部５３ａが中立位置に復帰して、第１係止片５３の係止突起５３ｂが第２係止片５５の立設部５５ａに接触し、第２係止片５５の係止突起５５ｂが第１係止片５３の立設部５３ａと第１延在部５４との間に挟まれる。こうして、第１係止片５３が第２係止片５５よりカバー部材３９ｃ，３９ｄの外側に位置して、第１係止片５３と第２係止片５５とが互いに係止する。
【００５２】
さらに、第１延在片５４の厚みＴ１が、第２延在片５６と第２係止片５５の立設部５５ａとの間隔Ｄ１に等しいので、第１延在片５４が、第２係止片５５と、第２延在片５６とで挟まれる。また、第２係止片５５の係止突起５５ｂの厚みＴ２が、第１延在片５４と第１係止片５３の立設部５３ａとの間隔Ｄ２に等しく、第２係止片５５の立設部５５ａの厚みＴ３が、第１延在片５４と第１係止片５３の係止突起５３ｂとの間隔Ｄ３に等しいので、第２係止片５５が、第１係止片５３と、第１延在片５４とで挟まれる。こうして、第２係止部５２は、一対のカバー部材３９ｃ，３９ｄ同士を互いに取り付ける。
【００５３】
一対のカバー部材３９ｃ，３９ｄは、係止部４１，５２が互いに係止することで、図１０などに示すように、前述した平行壁５０ａ，５０ｂが互いに平行な状態で、互いに取り付けられる。一対のカバー部材３９ｃ，３９ｄは、取付部２３にコネクタハウジング１２が取り付けられた状態で、係止部４１，５２が互いに係止すると、前記コネクタハウジング１２の電線１９が導出する側の端部を覆う。一対のカバー部材３９ｃ，３９ｄは、取付部２３にコネクタハウジング１２が取り付けられた状態で、係止部４１，５２が互いに係止することで、コネクタハウジング１２に取り付けられる。
【００５４】
さらに、一対のカバー部材３９ｃ，３９ｄは、取付部２３にコネクタハウジング１２が取り付けられた状態で、係止部４１，５２が互いに係止すると、図８に示すように、ヒンジ４０寄りの端部３９ａが前記電線逃がし部２４の電線案内部２９内に侵入する。そして、一対のカバー部材３９ｃ，３９ｄは、図７及び図８に示すように、電線案内部２９とともに複数の電線１９則ち電線束（図７及び図８中に点線で示す）の外周を覆う。こうして、カバー部２１は、コネクタハウジング１２に取り付けられると、カバー本体２０と共に複数の電線１９の外周を覆う。
【００５５】
また、一対のカバー部材３９ｃ，３９ｄには、それぞれ、係止部４１，５２が互いに係止すると、前記フランジ１４ａ，１４ｂが侵入する溝４２（図３などに示す）と、係止受け突起４３（図８に示す）と、が設けられている。係止受け突起４３は、カバー部材３９ａ，３９ｂのヒンジ４０寄りの端部３９ａに設けられている。則ち、係止受け突起４３は、カバー部材３９ｃ，３９ｄの電線案内部２９内に侵入する端部３９ａに設けられている。
【００５６】
係止受け突起４３は、図１１及び図１２に示すように、一対のカバー部材３９ｃ，３９ｄの係止部４１，５２同士の係止が解除された状態で、カバー部材３９ｃ，３９ｄの前述した端部３９ａから電線カバー１３の外方向に向かって凸に形成されている。さらに、係止受け突起４３は、取付部２３がコネクタハウジング１２に取り付けられかつ係止部４１同士が係止すると、図８に示すように、前述したカバー本体２０の係止突起３１と互いに係止する。
【００５７】
前述した構成のコネクタ１は、それぞれのプレート状ハウジング７の端子収容溝１５に圧接端子８を収容し、該圧接端子８に電線２５を圧接する。そして、カバー６と、二つのプレート状ハウジング７とを重ねて、係止部１０，１１により、これらを互いに固定する。すると、図３に示すように、コネクタハウジング１２の前述した端部から電線１９が導出している。
【００５８】
そして、前記幅方向Ｘに沿って、電線カバー１３をコネクタハウジング１２に近づけて、前記取付部２３の溝２８内にフランジ１４ａ，１４ｂを挿入する。このとき、カバー部２１の一対のカバー部材３９ｃ，３９ｄの係止部４１，５２は、互いに係止していない。さらに、孔３６内にバンド３７を通しておく。こうして、図２及び図３に示すように、取付部２３をコネクタハウジング１２に取り付ける。なお、図２では、圧接端子８に取り付けられた電線１９を省略している。
【００５９】
そして、図２中の矢印Ｋに沿って、電線逃がし部２４の一対の内縁突起３０間に複数の電線１９を圧入する。そして、図３に示すように、複数の電線１９を電線逃がし部２４の電線案内部２９内に位置付ける。その後、ヒンジ４０を中心として、一対のカバー部材３９ｃ，３９ｄを回転して、該カバー部材３９ｃ，３９ｄの係止部４１，５２同士を互いに係止する。溝４２にフランジ１４ａ，１４ｂを挿入して、コネクタハウジング１２にカバー部２１のカバ−３９則ち電線カバー１３を取り付けるとともに、一対のカバー部材３９ｃ，３９ｄ同士が互いに取り付けられる。
【００６０】
すると、電線カバー１３は、複数の電線１９則ち電線束の外周を覆い、電線逃がし部２４を通して、複数の電線１９則ち電線束を電線カバー１３外に導く。さらに、バンド３７で電線逃がし部２４の電線案内部２９内に通された複数の電線１９を結束する。こうして、図４に示すように、電線カバー１３をコネクタハウジング１２に取り付ける。このように、前述した構成のコネクタ１が組み立てられる。
【００６１】
本実施形態によれば、第１延在片５４が第２係止片５５と第２延在片５６とで挟まれるとともに、第２係止片５５が第１係止片５３と第１延在片５４とで挟まれた格好で、一対のカバー部材３９ｃ，３９ｄが互いに取り付けられる。このように、第１延在片５４が第２係止片５５と第２延在片５６とで挟まれ、第２係止片５５が第１係止片５３と第１延在片５４とで挟まれるので、一対のカバー部材３９ｃ，３９ｄ間にガタが生じることを防止できる。
【００６２】
このため、互いに取り付けられたカバー部材３９ｃ，３９ｄが、相対的に移動しにくくなり、係止片４１，５２同士の係止を外れにくくすることができる。したがって、カバー部材３９ｃ，３９ｄ同士を外れにくくすることができる。
【００６３】
電線１９を電線カバー１３外に逃がす樋状の電線逃がし部２４が、カバー本体２０に設けられている。このため、電線逃がし部２４が複数の部材により分割されていない。これにより、電線１９などから電線逃がし部２４が押圧されても、カバー本体２０則ち電線カバー１３がコネクタハウジング１２に取り付けられたままとなる。したがって、カバー本体２０則ち電線カバー１３がコネクタハウジング１２から脱落することを防止できる。
【００６４】
電線１９を電線逃がし部２４の電線案内部２９に出し入れする際に互いの間に電線１９が通される内縁突起３０の頂部３３が曲面に形成されている。このため、電線１９を内縁突起３０間に通す際に、則ち、電線１９を電線案内部２９内に挿入する際に、電線１９が内縁突起３０に接触しても、該電線１９が傷つくことを防止できる。したがって、電線１９の不意な破損を防止できる。
【００６５】
電線逃がし部２４の内側に位置する第１の傾斜面３４が外側に位置する第２の傾斜面３５より、矢印Ｋに対し傾いているので、電線案内部２９に挿入された電線１９が、内縁突起３０間を通って、電線逃がし部２４外に抜け出ることを防止できる。したがって、電線カバー１３をコネクタハウジング１２に取り付ける際に、電線１９がカバー部材３９ｃ，３９ｄの係止部４１同士を係止する作業の妨げになることを防止できる。
【００６６】
また、第２の傾斜面３５が、第１の傾斜面３４より矢印Ｋに対し傾いていないので、内縁突起３０間を通して電線１９を電線逃がし部２４の電線案内部２９内に挿入し易くなっている。したがって、電線カバー１３をコネクタハウジング１２に容易に取り付けることができる。
【００６７】
カバー部２１のカバー部材３９ｃ，３９ｄの係止部４１，５２同士を係止して、該カバー部材３９ｃ，３９ｄをコネクタハウジング１２に取り付けると、該カバー部材３９ｃ，３９ｄが電線逃がし部２４とともに電線１９の外周を覆う。このため、カバー部２１のカバー部材３９ｃ，３９ｄをコネクタハウジング１２に取り付けると、電線１９が電線逃がし部２４内から抜け出ることを防止できる。
【００６８】
カバー部材３９ｃ，３９ｄの係止部４１，５２同士を係止して、カバー部２１をコネクタハウジング１２に取り付けると、カバー本体２０に設けられた支え突起３８にカバー部材３９ｃ，３９ｄが重なる。このため、カバー部材３９ｃ，３９ｄ同士が必要以上に近づくことを防止できる。これにより、コネクタハウジング１２に取り付けられた時の電線カバー１３の過度な変形を防止できる。したがって、電線カバー１３が、コネクタハウジング１２に取り付けられた際に変形して、コネクタハウジング１２から不意に脱落することを防止できる。
【００６９】
取付部２３が平行部２６と連結部２７とを備えてコ字状に形成されており、コネクタハウジング１２内の圧接端子８の長手方向Ｙに直交（交差）する幅方向Ｘに沿ってスライドすることでカバー本体２０をコネクタハウジング１２に取り付ける。取付部２３がコ字状に形成されているので、取付部２３則ちカバー本体２０を確実にコネクタハウジング１２に取り付けることができる。
【００７０】
平行部２６が連結部２７より長いので、取付部２３則ちカバー本体２０をより確実にコネクタハウジング１２に取り付けることができるとともに、コネクタハウジング１２に取り付けられたカバー本体２０が不意に脱落することを確実に防止できる。
【００７１】
また、コネクタハウジング１２内の圧接端子８の長手方向Ｙに直交（交差）する幅方向Ｘに沿ってスライドすることで電線カバー１３のカバー本体２０をコネクタハウジング１２に取り付ける。このため、電線逃がし部２４から図４中の手前側に電線１９を逃がすように、電線カバー１３をコネクタハウジング１２に取り付けることができるとともに、電線逃がし部２４から図１４中の奥側に電線１９を逃がすように、電線カバー１３をコネクタハウジング１２に取り付けることができる。
【００７２】
カバー本体２０が電線逃がし部２４と取付部２３とに連なる補強リブ２５を備えている。このため、カバー本体２０の剛性を高めることができる。これにより、カバー本体２０の過度な変形を防止して、カバー本体２０則ち電線カバー１３がコネクタハウジング１２から不意に脱落する事を防止できる。
【００７３】
電線逃がし部２４の外周にバンド３７を取り付ける孔３６を設けている。このため、バンド３７をカバー本体２０に取り付けたままカバー本体２０則ち電線カバー１３をコネクタハウジング１２に着脱できる。このため、バンド３７により電線逃がし部２４の電線案内部２９に通された複数の電線１９を容易に結束できる。また、バンド３７を取り付ける孔３６を補強リブ２５に設けているので、電線カバー１３の小型化を図ることができる。
【００７４】
前述した実施形態では、ケース体としての電線カバー１３を示している。しかしながら、本発明では、コネクタハウジング１２に取り付けられる電線カバー１３に限らず種々のケース状でかつ互いに取り付けられる一対のカバー部材を備えたケース体に適用しても良いことは勿論である。
【００７５】
前述した実施形態では、端子金具として、電線１９と圧接する圧接端子８を示している。さらに、前記圧接端子８は、所謂雌形の端子金具となっている。しかしながら、本発明では、端子金具として、電線１９を加締める加締め片を複数備えた所謂圧着端子を用いても良く、雄形の端子金具を用いても良い。
【００７６】
また、前述した実施形態では、コネクタハウジング１２は、カバー６と一対のプレート状ハウジング７とで構成されている。しかしながら、本発明では、コネクタハウジング１２は、箱形でかつ一体の雄形のコネクタハウジングでも良く、筒状でかつ一体の雌形のコネクタハウジングでも良い。
【００７７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７８】
【図１】本発明の一実施形態にかかるコネクタを分解して示す斜視図である。
【図２】図１に示されたコネクタのコネクタハウジングに電線カバーのカバー本体を取り付けた状態を示す斜視図である。
【図３】図２に示された電線カバーの電線逃がし部の電線案内部内に複数の電線を通した状態を示す斜視図である。
【図４】図３に示された電線カバーのカバー部のカバー部材の係止部を互いに係止した状態を示す斜視図である。
【図５】図１に示されたコネクタの電線カバーのカバー部のカバー部材の係止部を互いに係止した状態を示す斜視図である。
【図６】図１に示されたコネクタの電線カバーのカバー部のカバー部材の係止部を互いに係止した状態を示す他の斜視図である。
【図７】図５中の矢印ＶＩ方向からみた電線カバーの側面図である。
【図８】図５中のＶＩＩ−ＶＩＩ線に沿う断面図である。
【図９】図５中の矢印ＶＩＩＩ方向からみた電線カバーの側面図である。
【図１０】図６中のＸ−Ｘ線に沿う断面図である。
【図１１】図７に示された電線カバーのカバー部材の係止部の係止を解除した状態を示す側面図である。
【図１２】図９に示された電線カバーのカバー部材の係止部の係止を解除した状態を示す側面図である。
【図１３】図１２に示された電線カバーの孔にバンドを通した状態を示す斜視図である。
【図１４】図３に示された電線カバーのカバー部のカバー部材の係止部を互いに係止した他の状態を示す斜視図である。
【符号の説明】
【００７９】
１  コネクタ
８  圧接端子（端子金具）
１２  コネクタハウジング
１３  コネクタ用電線カバー（ケース体）
１９  電線
３９，３９ｃ，３９ｄ  カバー部材
５０，５０ａ，５０ｂ  平行壁
５３  第１係止片
５４  第１延在片
５５  第２係止片
５６  第２延在片
【図１】
2006073328.tif 000003
【図２】
2006073328.tif 000004
【図３】
2006073328.tif 000005
【図４】
2006073328.tif 000006
【図５】
2006073328.tif 000007
【図６】
2006073328.tif 000008
【図７】
2006073328.tif 000009
【図８】
2006073328.tif 000010
【図９】
2006073328.tif 000011
【図１０】
2006073328.tif 000012
【図１１】
2006073328.tif 000013
【図１２】
2006073328.tif 000014
【図１３】
2006073328.tif 000015
【図１４】
2006073328.tif 000016